(57)【要約】【課題】歯表面を清掃するための清掃布を取り付けた電動式の歯面清掃具を提供する。【解決手段】歯表面を清掃するための拭取布１１と、清掃布１１が着脱可能に取り付けられる清掃ヘッド１２と、清掃ヘッド１２を清掃運動させる電動の駆動手段１４とを備え、駆動手段１４により清掃ヘッド１２を清掃運動させながら、清掃布１１で歯の表面を清掃することで、利用者による清掃操作のバラツキに起因する、清掃不良を防止する。【選択図】図１
2008036122.tif 000002
【特許請求の範囲】
【請求項１】
歯表面を清掃するための清掃布と、
前記清掃布が着脱可能に取り付けられる清掃ヘッドと、
前記清掃ヘッドを清掃運動させる電動の駆動手段と、
を備えたことを特徴とする歯面清掃具。
【請求項２】
前記駆動手段による清掃ヘッドの清掃運動が、回転運動、反転往復運動、往復直線運動、振動のいずれかである請求項１記載の歯面清掃具。
【請求項３】
前記清掃布による歯表面の清掃が、歯表面の汚れの拭き取り、歯表面の研磨、歯表面の磨き、歯表面に対するワックスがけのいずれか１種以上を含む請求項１又は２記載の歯面清掃具。
【請求項４】
前記清掃布として、超極細繊維からなるものを用いた請求項１〜３のいずれか１項記載の歯面清掃具。
【請求項５】
前記清掃ヘッドとして、清掃布を歯面に押し当てる押し当て部と、押し当て部の表面に沿って清掃布が張設されるように清掃布の外周部を保持する保持部とを有するものを用いた請求項１〜４のいずれか１項記載の歯面清掃具。
【請求項６】
前記押し当て部のうちの少なくとも清掃布が張設される部分を軟質部材で構成した請求項５記載の歯面清掃具。
【請求項７】
前記清掃ヘッドに清掃布の外縁部を収容する収容部を形成した請求項５又は６記載の歯面清掃具。
【請求項８】
前記清掃ヘッドとして、押し当て部を有する清掃ヘッド本体と、押し当て部の基部に外嵌されて清掃布の外縁部を保持する保持リングとを有するものを用いた請求項５〜７のいずれか1項記載の歯面清掃具。
【請求項９】
前記清掃ヘッドとして、押し当て部と保持部とを有する一部材からなるものを用い、保持部に対して清掃布の外縁部を挿入保持させた請求項５〜７のいずれか１項記載の歯面清掃具。
【請求項１０】
前記清掃ヘッドとして、押し当て部と保持部とを有する一部材からなるものを用い、清掃布の外縁部が保持部に埋設保持されるように、清掃ヘッドに対して清掃布をインサート成形した請求項５又は６記載の歯面清掃具。
【請求項１１】
前記清掃ヘッドは、前記駆動手段により清掃運動する可動体と、前記可動体に対して着脱自在に取り付けられる、押し当て部及び保持部を有するヘッド部材とを備えた請求項５〜１０のいずれか１項記載の歯面清掃具。
【発明の詳細な説明】
【技術分野】
【０００１】
本発明は、歯表面を清掃する歯面清掃具に関し、特に歯表面の汚れを拭き取って除去したり、歯表面を磨いたり、歯表面をワックス掛けしたりするのに好適な歯面清掃具に関する。
【背景技術】
【０００２】
歯面清掃具として、ハンドルの先端部に袋状の清掃布を着脱自在に設け、この清掃布に粉状、ペースト状、ゲル状又は液状より選ばれた口腔材を担持させてなるものや（例えば、特許文献１参照。）、先端部に弾力性を有するヘッドを設けたハンドルと、ヘッドに外装される袋状の清掃布とを有するもの（例えば、特許文献２参照。）などが提案されている。この種の歯面清掃具では、歯表面の汚れを拭き取った後の使用後の清掃布は、洗浄等を行っても衛生を十分に保つことが困難なことから、通常はそのまま廃棄処分し、ハンドルのみを繰り返して使用するように構成されている。
【０００３】
一方、電動歯ブラシとして、モータの回転軸の回転運動をクランク機構や、ギア機構及びカム機構などを介して出力軸の軸方向の往復直線運動に変換する変換手段を備え、この変換手段の出力軸に替えブラシを着脱自在に取り付けたものや、出力軸の軸方向への往復直線運動をブラシの反転往復運動に変換するように構成したものや、偏心錘をモータにより回転駆動して、替えブラシに振動を付与するように構成したものなどが広く採用されている。
【０００４】
【特許文献１】特開２０００−７０２９０号公報
【特許文献２】登録実用新案第３０３４８２３号公報
【発明の開示】
【発明が解決しようとする課題】
【０００５】
特許文献１、２記載のように、織布や不織布からなる清掃布で歯表面の汚れを拭き取るように構成した手動式の清掃具では、基本的には清掃布を袋状に構成して、この袋状の清掃布をハンドル先端のヘッドに外嵌装着して使用するように構成されており、清掃布を袋状に成形する必要があることから、清掃布の製作コストが高くなるという問題があった。また、清掃布を袋状に構成する関係上、使い捨てる素材布の使用量が多くなり、特に超極細繊維などの高価な繊維材を用いた場合には、清掃布１枚当たりの製作コストが高くなるという問題があった。更に、手動により拭き取り操作する歯面清掃具は多数出願されているものの、電動式の歯面清掃具は提案されておらず、実施もされていないのが現状である。
【０００６】
本発明の目的は、歯表面を清掃するための清掃布を取り付けた電動式の歯面清掃具を提供することである。
【課題を解決するための手段】
【０００７】
本発明に係る歯面清掃具は、歯表面を清掃するための清掃布と、前記清掃布が着脱可能に取り付けられる清掃ヘッドと、前記清掃ヘッドを清掃運動させる電動の駆動手段とを備えたものである。
【０００８】
この歯面清掃具では、清掃布を清掃ヘッドに取り付けて、駆動手段により清掃ヘッドとともに清掃布を清掃運動させながら、清掃布を歯面に当て付けて、歯面を順次清掃することになる。このように電動にて清掃布を清掃運動させて、歯面を清掃できるので、性別や年齢を問わず、清掃布を適正に清掃運動させて歯表面を清掃することができ、利用者による清掃操作のバラツキに起因する、清掃不良を効果的に防止できる。
【０００９】
ここで、前記駆動手段が電動の駆動手段であり、この駆動手段による清掃ヘッドの清掃運動が、回転運動、反転往復運動、往復直線運動、振動のいずれかであることが好ましい実施の形態である。このような清掃運動は、電動の駆動手段を備えた既存の電動歯ブラシにおいて、替えブラシに代えて、先端部に清掃布の清掃ヘッドを有する替え清掃具を取り付けることで実現できる。尚、反転往復運動とは、正転方向に一定角度回転した後、逆転方向に同じ角度だけ回転するという回転運動を繰り返して行う運動を意味する。
【００１０】
前記清掃布による歯表面の清掃が、歯表面の汚れの拭き取り、歯表面の研磨、歯表面の磨き、歯表面に対するワックスがけのいずれか１種以上を含むことが好ましい。尚、歯表面の汚れの拭き取る場合における清掃運動とは、歯面の汚れを清掃布で拭き取る運動、歯面の汚れを清掃布に吸着させる運動、歯面の汚れを清掃布で飛ばして払い取る運動を含むものとする。
【００１１】
前記清掃布として、超極細繊維からなるものを用いることが好ましい実施の形態である。このような超極細繊維からなる清掃布は、高価ではあるが、歯面の微細な凹凸に付着した汚れをも綺麗に取り除くことができるので好ましい。
【００１２】
前記清掃ヘッドとして、清掃布を歯面に押し当てる押し当て部と、押し当て部の表面に沿って清掃布が張設されるように清掃布の外周部を保持する保持部とを有するものを用いることが好ましい実施の形態である。このように清掃ヘッドに押し当て部と保持部を設けることで、清掃布を清掃ヘッドに対して確実に固定できる。特に、清掃布として、平坦な一枚ものの清掃布を用いると、袋状に加工する場合と比較して加工が容易で、しかも素材布の使用量も少なくできるので、安価に実施できる。
【００１３】
前記押し当て部のうちの少なくとも清掃布が張設される部分を軟質部材で構成することも好ましい実施の形態である。このように構成すると、清掃布を挟んで歯面に当接する押し当て部が軟質部材で構成されることになるので、歯面に対してソフトな当たりを実現でき、また万一清掃布を挟んで押し当て部が歯肉等に当たった場合でも、歯肉を傷つけることを防止できる。
【００１４】
前記清掃ヘッドに清掃布の外縁部を収容する収容部を形成することもできる。このように構成することで、清掃布の外縁部が外部に露出することを防止でき、清掃ヘッドに対して清掃布を取り付けた状態での見栄え性を向上できる。
【００１５】
前記清掃ヘッドとして、押し当て部を有する清掃ヘッド本体と、押し当て部の基部に外嵌されて清掃布の外縁部を保持する保持リングとを有するものを用いることもできる。保持部と押し当て部とを１部材に設けることも可能であるが、保持部による清掃布の保持構造が複雑になるので、別部材に設けることが好ましい。
【００１６】
前記清掃ヘッドとして、押し当て部と保持部とを有する一部材からなるものを用い、保持部に対して清掃布の外縁部を挿入保持させることもできる。この場合には、清掃ヘッドを構成する部品点数を少なくして、製作コストを安くできる。
【００１７】
前記清掃ヘッドとして、押し当て部と保持部とを有する一部材からなるものを用い、清掃布の外縁部が保持部に埋設保持されるように、清掃ヘッドに対して清掃布をインサート成形することも好ましい実施の形態である。このように清掃ヘッドに対して清掃布をインサート成形する場合には、使い捨てされる清掃ヘッドを容易に量産することが可能となる。また、清掃ヘッドに対して清掃布を機械的に組み付ける場合と比較して、清掃布の取付精度及び取付強度を向上できるので好ましい。
【００１８】
前記清掃ヘッドは、前記駆動手段により清掃運動する可動体と、前記可動体に対して着脱自在に取り付けられる、押し当て部及び保持部を有するヘッド部材とを備えることも好ましい実施の形態である。このように構成すると、ヘッド部材のみを使い捨てに構成することが可能となり、使い捨てにする部分を極力少なくできるので好ましい。
【発明の効果】
【００１９】
本発明に係る電動歯ブラシは、電動にて清掃布を清掃運動させて、歯面を清掃できるので、性別や年齢を問わず、清掃布を適正に清掃運動させて歯表面を清掃することができ、利用者による清掃操作のバラツキに起因する、清掃不良を効果的に防止できる。
【発明を実施するための最良の形態】
【００２０】
以下、本発明の実施例について図面を参照しながら説明する。
図１〜図５に示すように、歯面清掃具１０は、歯表面を清掃するための清掃布１１を取り付けた清掃ヘッド１２を有する替え清掃具１３と、替え清掃具１３の清掃ヘッド１２を清掃運動させる電動の駆動手段１４を有する本体部１５とを備え、替え清掃具１３の清掃ヘッド１２に清掃布１１を取り付け、駆動手段１４により清掃ヘッド１２を清掃運動させながら、清掃布１１を歯に当てて歯表面を清掃できるように構成したものである。この歯面清掃具１０では、駆動手段１４により清掃ヘッド１２を反転往復運動させるように構成しているが、後述のように、往復直線運動や振動させることもできるし回転運動させることもできる。また、清掃布１１による清掃とは、歯表面の汚れの拭き取り、歯表面の研磨、歯表面の磨き、歯表面に対するワックスがけのいずれか１種以上を含む作業を意味するものとする。また、歯表面の汚れを拭き取る場合における清掃運動とは、歯面の汚れを清掃布で拭き取る運動、歯面の汚れを清掃布に吸着させる運動、歯面の汚れを清掃布で飛ばして払い取る運動を含むものとする。
【００２１】
本体部１５について説明すると、図１、図２に示すように、ハンドルを兼ねる上下方向に細長い筒状のケーシング２０が設けられ、ケーシング２０の下端部には蓋部材２１が着脱可能に取り付けられている。ケーシング２０の下部内には一次電池又は二次電池からなる電池２２が内装され、ケーシング２０の上部内には略筒状のモータケース２０ａが内嵌装着され、モータケース２０ａの下部内には直流電動モータ２３が組み付けられ、モータ２３は、ケーシング２０に設けた図示外の配線及びスイッチによりＯＮ状態とＯＦＦ状態とに切り替え可能に構成されている。尚、電池２２として一次電池を用いる場合には、該電池をケーシング２０に対して交換可能に内装する必要があるが、二次電池を用いる場合には、該電池をモータ２３とともにケーシング２０に消費者が通常取り外しをしないように内蔵し、有接点或いは無接点で電池を充電するように構成することもできる。二次電池としては、ニッカド電池、リチウムイオン電池、ニッケル水素電池などを採用できる。また、電源コードを家庭用電源に接続してモータ２３を駆動するように構成することも可能である。
【００２２】
モータケース２０ａの上部内には、モータ２３の回転軸２４の回転運動を出力軸２５の上下方向の往復直線運動に変換する第１変換手段３０が設けられ、出力軸２５はその途中部においてケーシング２０の上壁部を貫通して上下方向に移動自在に設けられ、ケーシング２０の上端部には出力軸２５とケーシング２０との摺動部分から水等が浸入しないようにゴムカバー２７が設けられている。ケーシング２０の上端部にはカバー部材２８が着脱可能に固定され、カバー部材２８には上方へ延びる替え清掃具１３が着脱可能に取り付けられ、替え清掃具１３には出力軸２５の上下方向への往復直線運動を清掃ヘッド１２の反転往復運動に変換する第２変換手段４６が設けられている。
【００２３】
第１変換手段３０について説明すると、図１、図２に示すように、モータ２３の回転軸２４には第１傘歯車３１が固定され、モータケース２０ａの内壁部には第１傘歯車３１に噛合する第２傘歯車３２が軸部材３３を中心として回転自在に設けられている。出力軸２５の下端部には水平方向に細長いカム孔３４が設けられ、第２傘歯車３２の偏心位置にはカム孔３４内に延びる係合ピン３５が突出状に設けられている。そして、第１及び第２傘歯車３１、３２によりモータ２３の回転軸２４の上下方向軸心周りの回転運動が軸部材３３の水平方向軸心周りの回転運動に変換され、この回転運動がカム孔３４及び係合ピン３５を介して出力軸２５の上下方向への往復直線運動に変換されるように構成されている。
【００２４】
歯車３１、３２の歯数は、１分間内における清掃ヘッド１２の反転往復運動の回数が例えば２０００〜８０００回、好ましくは２０００〜３５００回となるような歯数に設定されている。但し、本体部１５としては、周知の電動歯ブラシの本体部１５をそのまま利用することができる。
【００２５】
替え清掃具１３について説明すると、図１〜図５に示すように、カバー部材２８には中空の柄体４０が上下方向に移動不能に固定され、柄体４０の上端部には清掃ヘッド１２が設けられている。清掃ヘッド１２は、略円板状の基台部４１と、基台部４１から前方へ突出状に延びる略円柱状の押し当て部４２とを有する清掃ヘッド本体４３と、清掃ヘッド本体４３の押し当て部４２に外嵌されて清掃布１１の保持する保持リング４４とを備え、柄体４０の上端部に固定した前後方向の軸部材４５に回転自在に支持されている。
【００２６】
第２変換手段４６について説明すると、基台部４１の後面には連結部４７が突出形成され、連結部４７には軸部材４５から側方へ偏心させた位置に小判形の左右１対の連結孔４８が形成されている。柄体４０内には操作ロッド５０が上下移動自在に設けられ、操作ロッド５０の下端部には出力軸２５に着脱自在に外嵌固定される連結筒部４９が設けられている。操作ロッド５０の上端部には上方へ延びる連結ピン５１が設けられ、連結ピン５１の上端部は連結孔４８に装着され、出力軸２５とともに操作ロッド５０が上下方向に往復駆動されると、連結ピン５１を介して清掃ヘッド１２が軸部材４５を中心に一定角度θの範囲内で反転往復運動するように構成されている。清掃ヘッド１２の回動角度θは、任意に設定することが可能であるが、第２変換手段４６として簡易な構造を採用できることから、１８０°以下に設定することが好ましい。
【００２７】
清掃ヘッド１２に対して清掃布１１を着脱自在に固定保持するための構造について説明すると、押し当て部４２の基台部４１側には首部５３が形成され、押し当て部４２の先端部には首部５３よりも大径の頭部５４が形成されている。首部５３の途中部にはフランジ部５２が形成され、頭部５４の先端側には大径部５４ａが形成され、頭部５４の基部側には小径部５４ｂが形成されている。保持リング４４の基端部には内側へ突出して基台部４１とフランジ部５２間に嵌合する環状の嵌合部５５が形成され、保持リング４４の先端部には小径部５４ｂに外嵌する押さえ部５６が形成されている。嵌合部５５の内周面の基部側にはテーパ面５７が形成され、押し当て部４２に対して保持リング４４を容易に挿入できるように構成されている。尚、本実施例では、頭部５４を正面視円形に形成したが楕円形や小判形や方形状に形成することも可能である。また、頭部５４の表面に、歯間の汚れを拭き取るための先鋭部を形成したり、複数の凹凸を形成したりすることも好ましい実施の形態である。
【００２８】
嵌合部５５の内径Ｄ１は大径部５４ａの外径Ｄ２と略同じ直径或いはやや小さい直径に形成されるとともに、フランジ部５２の外径Ｄ３よりも小径に形成され、押さえ部５６の内径Ｄ４は小径部５４ｂの外径Ｄ５と略同じ或いはやや小径に形成されている。大径部５４ａの直径Ｄ２は、歯の大きさを考慮して、２〜１２ｍｍに設定することが好ましい。また、保持リング４４の外径Ｄ６と、清掃ヘッド１２の突出長さＬ１と、保持リング４４からの押し当て部４２の突出長さＬ２は、口腔内における操作性を考慮して、Ｄ６=８〜１８ｍｍ、Ｌ１=９〜１９ｍｍ、Ｌ２=１〜１０ｍｍにそれぞれ設定することが好ましい。
【００２９】
清掃ヘッド本体４３は、ポリアセタールやポリエチレンなどの比較的硬質な合成樹脂材料で構成され、保持リング４４は、歯、歯肉、口腔粘膜を傷つけないようにするため、ウレタンゴムやシリコーンゴムなどの軟質な合成ゴムやエラストマで構成されている。そして、清掃布１１を清掃ヘッド１２に取り付ける際には、図４に示すように、清掃ヘッド本体４３と保持リング４４間に清掃布１１を配置させた状態で、図５に示すように、保持リング４４を押し当て部４２に対して保持リング４４の嵌合部５５が基台部４１とフランジ部５２間に嵌合するまで押し込んで、頭部５４の外面に沿って清掃布１１を張設するとともに、清掃布１１の外縁部を押さえ部５６と小径部５４ｂ間で保持するとともに、フランジ部５２と嵌合部５５間で保持して、清掃布１１を清掃ヘッド本体４３に取り付けることになる。
【００３０】
清掃布１１としては、ポリエステル、アクリル、アクリル系、ナイロン、ビニロン、ポリプロピレン、ポリエチレン、ポリエチレンテレフタレート、ビニリデン、ポリウレタン、アラミド、ポリアリレート系繊維、エチレンビニルアルコール繊維、アクリレート系繊維、ポリ乳酸繊維などの合成繊維材、或いはシルク、コットン（木綿）、ウール（羊毛）、麻などの天然繊維、レーヨン、キュプラ、リヨセルなどの再生繊維、アセテート、トリアセテート、プロミックスなどの半合成繊維、或いはいずれかの繊維の組み合わせからなる織布や不織布で構成することが可能である。特に、繊維の直径が２０μｍ以下の超極細繊維、好ましくは１０μｍ以下の超極細繊維で構成すると、歯面を綺麗に清掃できるので好ましい。清掃ヘッド１２への取り付け前における清掃布１１の大きさは任意に設定可能であるが、清掃ヘッド１２に取り付けた状態で、外縁部が清掃ヘッド本体４３と保持リング４４間の収容部１６内に配置されて外部に露出しない寸法に設定することが好ましい。また、清掃布１１の形状は任意に設定できるが、収容部１６内への納まりを一層よくするため、円形に形成することが好ましい。更に、清掃布１１の外周部に切り込みやひだを形成して、収容部１６内への納まりがより一層良くなるように構成することもできる。更にまた、清掃ヘッド１２に対して偏ることなく清掃布１１を容易に取り付けることができるように、清掃布１１の中央部に、プレス加工、印刷、染色等により目印を付けることもできる。また、大径部５４ａの形状に合わせて、清掃布１１を山形断面にプレス加工することも好ましい実施の形態である。
【００３１】
清掃ヘッド１２に対する清掃布１１の取り付け作業は、清掃布１１の中央部を押し当て部４２の先端部に載せた状態で、保持リング４４が押し当て部４２に外嵌されるように、保持リング４４を押し当て部４２に押し込んで取り付けることになる。しかし、柔軟な清掃布１１の取り扱いが煩雑であり、しかも一方の手で押し当て部４２に清掃布１１を位置合わせした状態で、他方の手で保持リング４２を押し当て部４２に外嵌させる必要があるので、その作業が煩雑になる。そこで、次のような構成の治具５８を用いて、清掃ヘッド１２に対して清掃布１１を取り付けることも好ましい実施の形態である。
【００３２】
即ち、図６、図７に示すように、治具５８は、合成樹脂材料や金属材料などからなる略円筒状の一体成形品で構成され、治具５８の上部には清掃布１１の外径と略同じ直径の第１収容部５８ａが形成され、治具５８の高さ方向の途中部には、保持リング４４の外径よりもやや大きな直径の第２収容部５８ｂが形成され、治具５８の下部には押し当て部４２が挿通可能な貫通孔５８ｃが形成されている。第１収容部５８ａと第２収容部５８ｂと貫通孔５８ｃとは同心状に設けられ、第１収容部５８ａの下面には清掃布１１の外周部を載置可能な第１載置面５９ａが形成され、第２収容部５８ｂの下面には保持リング４４を載置可能な第２載置面５９ｂが形成されている。
【００３３】
そして、この治具５８を用いて清掃布１１を清掃ヘッド１２に取り付ける際には、図７（ａ）に示すように、第２収容部５８ｂに保持リング４４を装填した後、第１収容部５８ａに清掃布１１を位置決めセットし、その後、清掃ヘッド１２の押し当て部４２の先端部を清掃布１１の略中央部に対面させた状態で、押し当て部４２を清掃布１１とともに保持リング４４内に押し込んで、清掃布１１及び保持リング４４を清掃ヘッド１２に取り付けることになる。このように、この治具５８を用いると、清掃布１１及び保持リング４４を治具５８に対して位置決めセットできるので、清掃ヘッド１２に対する清掃布１１の取付作業が格段に容易になる。尚、符号５８ｄは、図７（ｂ）に示すように押し当て部４２を押し込んだ状態で、柄体４０が治具５８の上端部に干渉することを防止するための、回避溝である。
【００３４】
尚、この治具５８の外観形状は、本実施の形態では円筒状に形成したが、任意の形状に形成することができる。また、第１収容部５８ａ及び第２収容部５８ｂの形状及び寸法は、清掃布１１及び保持リング４４の形状及び寸法に適合した任意の形状及び寸法に形成することになる。更に、この治具５８は、歯面清掃具１０の蓋部材２１の底部に一体的に設けるなど、歯面清掃具１０を構成する部材の一部や、清掃布１１を収容するケーシングに一体的に形成することが、取扱性を向上する上で好ましい。
【００３５】
次に、清掃ヘッド１２の構成を部分的に変更した他の実施の形態について説明する。尚、前記実施の形態と同一部材には同一符号を付してその詳細な説明を省略する。
【００３６】
（１）図８に示す清掃ヘッド１２Ａのように、清掃ヘッド本体４３Ａの押し当て部４２Ａにおける頭部５４Ａの先端側部分にウレタンゴムやシリコーンゴムなどの軟質合成ゴムやエラストマからなる当接部６０を一体的に設けて大径部５４Ａａを形成することができる。このように構成すると、当接部６０が歯面の凹凸に沿って変形することで、歯面を一層綺麗に清掃できるとともに、清掃ヘッド１２が歯肉に当接しても歯肉を傷つけないように構成することができる。尚、この清掃ヘッド１２Ａに対する清掃布１１の取付作業は、前記治具５８を用いて前述と同様に行うことができる。但し、当接部６０は、清掃ヘッド本体４３Ａ側ではなく、清掃布１１の裏面側の中央部に一体的に設けることも可能である。この場合には、当接部６０を清掃ヘッド４３Ａに凹凸嵌合させることで、清掃ヘッド本体４３Ａに対して清掃布１１を位置決め保持できるので、治具５８を用いることなく、清掃布１１を清掃ヘッド本体４３Ａの適正位置に容易に取り付けることが可能となる。
【００３７】
（２）図９、図１０に示す清掃ヘッド１２Ｂのように、基台部４１の中央部に前方へ突出する略円柱状の押し当て部４２Ｂを設け、保持リング４４に代えて、基台部４１の外周部に前方へ延びる筒状の保持部６１を設け、保持部６１と押し当て部４２Ｂ間に清掃布１１の外縁部を収容する収容空間（これが、収容部に相当する）６２を形成するとともに、保持部６１の先端部に押し当て部４２Ｂ側へ接近して対面する係止面６３を形成することもできる。この場合には、図９に示すように、押し当て部４２Ｂに嵌合可能で且つ係止面６３と押し当て部４２Ｂ間に挿入可能な略円筒状の治具６４を用い、清掃ヘッド１２Ｂと治具６４間に清掃布１１を配置させて、清掃布１１の外縁部を治具６４の先端部で収容空間６２内に押し込み、清掃布１１の外縁部を収容空間６２内に収容するとともに、外縁部と中央部間の部分を係止面６３と押し当て部４２Ｂ間に保持し、清掃布１１の略中央部を押し当て部４２Ｂの先端部に張設することになる。この清掃ヘッド１２Ｂでは、保持リング４４を省略して、清掃ヘッド１２Ｂを１部材で構成できる。
【００３８】
（３）図１１、図１２に示す清掃ヘッド１２Ｃのように、基台部４１の中央部に前方へ突出する略円柱状の押し当て部４２Ｃを設け、保持リング４４に代えて、基台部４１の外周部に前方へ延びる筒状の保持部６５を設け、保持部６５と押し当て部４２Ｃ間に清掃布１１の外縁部を収容する収容空間６６を形成するとともに、保持部６５の先端部に折り返し部６７を形成し、折り返し部６７の内周面に押し当て部４２Ｃへ接近して対面する係止面６８を形成することもできる。この場合には、前記清掃ヘッド１２Ｂと同様に、図１１に示すように、略円筒状の治具６４を用い、清掃ヘッド１２Ｃと治具６４間に清掃布１１を配置させて、清掃布１１の外縁部を治具６４の先端部で収容空間６６内に押し込み、清掃布１１の外縁部を収容空間６６内に収容するとともに、外縁部と中央部間の部分を係止面６８と押し当て部４２Ｃ間に保持し、清掃布１１の略中央部を押し当て部４２Ｃの先端部に張設することになる。この清掃ヘッド１２Ｃでは、保持リング４４を省略して、清掃ヘッド１２Ｃを１部材で構成できるとともに、折り返し部６７の内周面に係止面６８を形成しているので、清掃布１１に対して脱落方向への力が作用すると、この力により折り返し部６７の先端部が折り返し部６７の基部を中心として押し当て部４２Ｃ側へ変形し、清掃布１１が折り返し部６７の先端部と押し当て部４２Ｃ間に挟持されるので、清掃布１１の脱落が効果的に防止されることになる。
【００３９】
（４）図１３、図１４に示す清掃ヘッド１２Ｄのように、基台部４１の中央部に前方へ突出する略円柱状の押し当て部４２Ｄを有する清掃ヘッド本体４３Ｄと、ウレタンゴムやシリコーンゴムなどからなるリング部材７０とを備えたものを用い、押し当て部４２Ｄの途中部に環状の係止突部７１を形成し、清掃布１１の外縁部が挟持されるように、係止突部７１と基台部４１間にリング部材７０を嵌合させて、押し当て部４２Ｄの先端部に清掃布１１の中央部を張設してもよい。また、図１５、図１６に示す清掃ヘッド１２Ｅのように、基台部４１の中央部に前方へ突出する略円柱状の押し当て部４２Ｅを設け、押し当て部４２Ｅの途中部に環状の２つ係止突部７２、７３を形成し、基台部４１の外縁部に前方へ延びるカバー部７４を突出形成した清掃ヘッド本体４３Ｅを用い、清掃布１１の外縁部が挟持されるように、清掃布１１を押し当て部４２Ｅに張設して、両係止突部７２、７３間にリング部材７０を嵌合させた状態で、清掃布１１の外縁端部がカバー部７４で覆われるように構成することも好ましい実施の形態である。尚、この清掃ヘッド１２Ｄ、１２Ｅに対する清掃布１１の取付作業は、前記治具５８を用いて前述と同様に行うことができる。
【００４０】
（５）本実施の形態では、清掃布１１のみを交換するように構成したが、清掃布１１を取り付けた替え清掃具全体を使い捨てるように構成することもできるし、図１７〜図２０に示すように、清掃ヘッド１２に代えて、清掃運動する可動体８０と、清掃布１１を張設したヘッド部材８１とを備え、連結手段８２を介してヘッド部材８１を可動体８０に対して着脱可能に構成した清掃ヘッド８３を用い、ヘッド部材８１のみを使い捨てるように構成することもできる。この場合には、製造工場において、ヘッド部材８１に対して清掃布１１を融着などにより一体的に張設できるので、清掃布１１の張設のための利用者の作業が不要となり、利用者の利便性を向上できる。
【００４１】
連結手段８２としては、図１７（ａ）（ｂ）に示す清掃ヘッド８３Ａの連結手段８２Ａのように、可動体８０Ａに少なくとも１対の取付孔８４を形成し、ヘッド部材８１Ａに取付孔８４に対応させて爪部８５を突出形成し、ヘッド部材８１Ａの爪部８５を可動体８０Ａの取付孔８４に嵌合させて、ヘッド部材８１Ａを可動体８０Ａに対して着脱可能に固定するように構成したものを採用することができる。
【００４２】
また、図１８（ａ）（ｂ）に示す清掃ヘッド８３Ｂの連結手段８２Ｂのように、可動体８０Ｂに連結軸部８６を突出形成して、この連結軸部８６の外周部に係止突部８６ａを形成し、連結軸部８６に対応させてヘッド部材８１Ｂに嵌合孔８７を形成するとともに、係止突部８６ａに対応させて嵌合孔８７の内周面にＬ字状や鍵爪状の係合溝８７ａを形成し、可動体８０Ｂの連結軸部８６をヘッド部材８１Ｂの嵌合孔８７に嵌合させて、係止突部８６ａを係合溝８７ａに係合させ、ヘッド部材８１Ｂを可動体８０Ｂに対して着脱自在に固定することも可能である。
【００４３】
また、図１９（ａ）（ｂ）に示す清掃ヘッド８３Ｃの連結手段８２Ｃのように、可動体８０Ｃに嵌合孔８８を形成し、嵌合孔８８に嵌合する嵌合突部８９をヘッド部材８１Ｃに形成するとともに、ヘッド部材８１Ｃの嵌合突部８９の外周部に係合突部８９ａを形成し、この係合突部８９ａを嵌合孔８８に形成したＬ字状や鍵爪状の係合溝８８ａに係合させて、可動体８０Ｃに対してヘッド部材８１Ｃを着脱可能に固定することもできる。
【００４４】
更に、図２０（ａ）（ｂ）に示す清掃ヘッド８３Ｄの連結手段８２Ｄのように、可動体８０Ｄにネジ軸９０を突出形成するとともに、ヘッド部材８１Ｄにネジ孔９１を形成し、可動体８０Ｄのネジ軸９０をヘッド部材８１Ｄのネジ孔９１に螺合させて、ヘッド部材８１Ｄを可動体８０Ｄに対して着脱可能に固定することもできる。但し、可動体８０にネジ孔を形成し、ヘッド部材８１にネジ軸を形成することも可能である。
【００４５】
ヘッド部材８１に対する清掃布１１の取付構造としては、図１７〜図２０に示すように、清掃布１１の外縁部がヘッド部材８１に埋設保持されるように、ヘッド部材８１に対して清掃布１１をインサート成形することができる。但し、清掃布１１の埋設構造は、任意に設定することが可能で、例えば、図２１に示すヘッド部材８１Ｅのように、ヘッド部材８１Ｅの先端部側を抱き込むように清掃布１１を配置させ、内側へ折り曲げた清掃布１１の外縁部をヘッド部材８１Ｅに埋設保持させることもできる。
【００４６】
また、図２２に示すヘッド部材８１Ｆのように、ヘッド部材８１Ｆを基部材９２と先端チップ９３とに分割構成し、清掃布１１の外縁部を基部材９２と先端チップ９３間に挟んだ状態で、基部材９２に設けた係合凹部９２ａに、先端チップ９３に設けた係止突起９３ａを嵌合させて、基部材９２と先端チップ９３とを着脱不能に一体化させることもできる。
【００４７】
また、図２３に示すヘッド部材８１Ｇのように、ヘッド部材８１Ｇをヘッド本体９４とそれ外嵌する筒部材９５とに分割構成し、ヘッド本体９４の外周部に係合凹部９４ａを形成し、筒部材９５の内周面に係合突部９５ａを形成して、ヘッド本体９４に清掃布１１が外装されるように、ヘッド本体９４に筒部材９５を嵌合させて、係合凹部９４ａと係合突部９５ａとの係合により、清掃布１１をヘッド部材８１に固定することもできる。係合凹部９４ａとしては、周方向に一定間隔をあけて複数の凹部を形成してもよいし、環状溝を形成してもよい。また、係合突部９５ａは、断面形状を半円状にして、ヘッド本体９４に対して筒部材９５を着脱可能に取り付けることもできるし、図２４に示すヘッド部材８１Ｈのように、ヘッド本体９４Ｈの外周部に、先端側に半径方向の段差９６ａを有する係合凹部９６を形成し、筒部材９５Ｈの内周面に、挿入方向の前側にテーパ面９７ａを設け、挿入方向の後側に段差９７ｂをする係合突部９７を形成して、一旦組み付けて段差９６ａ、９７ａが係合すると、ヘッド本体９４Ｈから筒部材９５Ｈを取り外せないように構成したものを採用することもできる。尚、前記連結手段及び前記ヘッド部材は任意に組み合わせて用いることができる。また、他の構成の連結手段やヘッド部材を採用することも可能である。
【００４８】
尚、本実施の形態では、清掃ヘッド１２、８３を反転往復運動させるように構成したが、駆動手段１４の構成を変更して、清掃ヘッド本体４３を往復直線運動させたり、振動させたりするように構成することも可能である。往復直線運動させる場合には、例えば図２５（ａ）に示す駆動手段１４Ｆのように、前記駆動手段１４における第２変換手段４６を省略したものを用い、前記駆動手段１４Ｆの出力軸２５に、柄体４０の先端部に清掃ヘッド１２を一体的に設けた替え清掃具１３Ｆを着脱自在に取り付け、柄体４０とともに替え清掃具１３Ｆが上下移動するように構成することになる。この場合には、清掃ヘッド１２として任意の形状のものを採用することができ、例えば図２５（ｂ）に示す替え清掃具１３Ｇのように、正面視小判形の清掃ヘッド１２Ｇを採用することができる。また、清掃ヘッド１２を振動させる場合には、図２６に示す歯面清掃具１０Ｈの本体部１００のように、ケース１０１に電池２２及びモータ２３を組み込み、モータ２３の回転軸２４に偏心錘１０２を取り付け、ケース１０１に前記替え清掃具１３Ｆを着脱自在に取り付け、モータ２３で偏心錘１０２を回転させることにより、偏心錘１０２の振動を、ケース１０１を介して清掃ヘッド１２に伝達するように構成することになる。
【００４９】
本実施の形態では、電動にて清掃ヘッドを清掃運動させるように構成した歯面清掃具について説明したが、ハンドルの先端部に清掃ヘッドを設けた手動方式の歯面清掃具に対しても本発明を同様に適用することができる。また、清掃ヘッド内に振動子を組み込んで、清掃ヘッドを超音波振動させるように構成することも可能である。
【図面の簡単な説明】
【００５０】
【図１】歯面清掃具の縦断側面図
【図２】同歯面清掃具の作動説明図
【図３】同歯面清掃具の清掃ヘッドの分解斜視図
【図４】同歯面清掃具の清掃ヘッドの分解側面図
【図５】同歯面清掃具の清掃ヘッド付近の縦断側面図
【図６】清掃布を取り付けるのに好適な治具の斜視図
【図７】（ａ）（ｂ）は同治具を用いた清掃布の取付方法の説明図
【図８】他の構成の清掃ヘッド付近の縦断側面図
【図９】他の構成の清掃ヘッドの分解側面図
【図１０】同清掃ヘッド付近の縦断側面図
【図１１】他の構成の清掃ヘッドの分解側面図
【図１２】同清掃ヘッド付近の縦断側面図
【図１３】他の構成の清掃ヘッドの分解側面図
【図１４】同清掃ヘッド付近の縦断側面図
【図１５】他の構成の清掃ヘッドの分解側面図
【図１６】同清掃ヘッド付近の縦断側面図
【図１７】（ａ）は他の構成の清掃ヘッド付近の縦断側面図、（ｂ）は同清掃ヘッドの分解斜視図
【図１８】（ａ）は他の構成の清掃ヘッド付近の縦断側面図、（ｂ）は同清掃ヘッドの分解斜視図
【図１９】（ａ）は他の構成の清掃ヘッド付近の縦断側面図、（ｂ）は同清掃ヘッドの分解斜視図
【図２０】（ａ）は他の構成の清掃ヘッド付近の縦断側面図、（ｂ）は同清掃ヘッドの分解斜視図
【図２１】他の構成のヘッド部材の縦断側面図
【図２２】（ａ）は他の構成のヘッド部材の分解縦断側面図、（ｂ）は同ヘッド部材の縦断側面図
【図２３】（ａ）は他の構成のヘッド部材の分解縦断側面図、（ｂ）は同ヘッド部材の縦断側面図
【図２４】（ａ）は他の構成のヘッド部材の分解縦断側面図、（ｂ）は同ヘッド部材の縦断側面図
【図２５】（ａ）（ｂ）は他の構成の歯面清掃具の駆動手段の説明図
【図２６】他の構成の歯面清掃具の説明図
【符号の説明】
【００５１】
１０    歯面清掃具          １１    清掃布
１２    清掃ヘッド          １３    替え清掃具
１４    駆動手段            １５    本体部
１６    収容部
２０    ケーシング          ２０ａ  モータケース
２１    蓋部材              ２２    電池
２３    モータ              ２４    回転軸
２５    出力軸              ２７    ゴムカバー
２８    カバー部材
３０    第１変換手段        ３１    第１傘歯車
３２    第２傘歯車          ３３    軸部材
３４    カム孔              ３５    係合ピン
４０    柄体                ４１    基台部
４２    押し当て部          ４３    清掃ヘッド本体
４４    保持リング          ４５    軸部材
４６    第２変換手段        ４７    連結部
４８    連結孔              ４９    連結筒部
５０    操作ロッド          ５１    連結ピン
５２    フランジ部          ５３    首部
５４ａ  大径部              ５４ｂ  小径部
５４    頭部                ５５    嵌合部
５６    押さえ部            ５７    テーパ面
５８    治具                ５８ａ  第１収容部
５８ｂ  第２収容部          ５８ｃ  貫通孔
５８ｄ  回避溝              ５９ａ  第１載置面
５９ｂ  第２載置面
１２Ａ  清掃ヘッド          ４３Ａ  清掃ヘッド本体
４２Ａ  押し当て部          ５４Ａ  頭部
５４Ａａ  大径部            ６０    当接部
１２Ｂ  清掃ヘッド          ４２Ｂ  押し当て部
６１    保持部              ６２    収容空間
６３    係止面              ６４    治具
１２Ｃ  清掃ヘッド          ４２Ｃ  押し当て部
６５    保持部              ６６    収容空間
６７    折り返し部          ６８    係止面
１２Ｄ  清掃ヘッド          ４２Ｄ  押し当て部
４３Ｄ  清掃ヘッド本体      ７０    リング部材
７１    係止突部
１２Ｅ  清掃ヘッド          ４２Ｅ  押し当て部
４３Ｅ  清掃ヘッド本体      ７２    係止突部
７３    係止突部            ７４    カバー部
１３Ｆ  替え清掃具          １４Ｆ  駆動手段
１２Ｇ  清掃ヘッド          １３Ｇ  替え清掃具
８０    可動体              ８１    ヘッド部材
８２    連結手段            ８３    清掃ヘッド
８０Ａ  可動体              ８１Ａ  ヘッド部材
８２Ａ  連結手段            ８３Ａ  清掃ヘッド
８４    取付孔              ８５    爪部
８０Ｂ  可動体              ８１Ｂ  ヘッド部材
８２Ｂ  連結手段            ８３Ｂ  清掃ヘッド
８６    連結軸部            ８６ａ  係止突部
８７    嵌合孔              ８７ａ  係合溝
８０Ｃ  可動体              ８１Ｃ  ヘッド部材
８２Ｃ  連結手段            ８３Ｃ  清掃ヘッド
８８    嵌合孔              ８８ａ  係合溝
８９    嵌合突部            ８９ａ  係合突部
８０Ｄ  可動体              ８１Ｄ  ヘッド部材
８２Ｄ  連結手段            ８３Ｄ  清掃ヘッド
９０    ネジ軸              ９１    ネジ孔
８１Ｅ  ヘッド部材
８１Ｆ  ヘッド部材          ９２    基部材
９２ａ  係合凹部            ９３    先端チップ
９３ａ  係止突起
８１Ｇ  ヘッド部材          ９４    ヘッド本体
９４ａ  係合凹部            ９５    筒部材
９５ａ  係合突部
８１Ｈ  ヘッド部材          ９４Ｈ  ヘッド本体
９５Ｈ  筒部材              ９６    係合凹部
９６ａ  段差                ９７    係合突部
９７ａ  テーパ面            ９７ｂ  段差
１０Ｈ  歯面清掃具          １００  本体部
１０１  ケース              １０２  偏心錘
【図１】
2008036122.tif 000003
【図２】
2008036122.tif 000004
【図３】
2008036122.tif 000005
【図４】
2008036122.tif 000006
【図５】
2008036122.tif 000007
【図６】
2008036122.tif 000008
【図７】
2008036122.tif 000009
【図８】
2008036122.tif 000010
【図９】
2008036122.tif 000011
【図１０】
2008036122.tif 000012
【図１１】
2008036122.tif 000013
【図１２】
2008036122.tif 000014
【図１３】
2008036122.tif 000015
【図１４】
2008036122.tif 000016
【図１５】
2008036122.tif 000017
【図１６】
2008036122.tif 000018
【図１７】
2008036122.tif 000019
【図１８】
2008036122.tif 000020
【図１９】
2008036122.tif 000021
【図２０】
2008036122.tif 000022
【図２１】
2008036122.tif 000023
【図２２】
2008036122.tif 000024
【図２３】
2008036122.tif 000025
【図２４】
2008036122.tif 000026
【図２５】
2008036122.tif 000027
【図２６】
2008036122.tif 000028